(57)【要約】      （修正有）【課題】不使用時には非常にコンパクトに纏めることができ、使用時には簡単な組み立て作業で安定的な強度を有する移動式ボードを提供する。【解決手段】複数の支柱１０，１１，１２と、二本の棒状体をＸ字状に枢支した結合体を複数連結したリンク機構であって、支柱１０〜１２間を伸縮自在に接続するフレーム体と、支柱１０〜１２に固定される折り畳み自在のホワイトボード４０とを備え、一つの支柱１０に直接連結する結合体の二本の棒状体のうち、一方の棒状体の上側他端部は支柱１０に固定され、他方の棒状体の下側他端部は支柱１０上を上下方向に摺動可能に配設されているものである。【選択図】図１１
0003217541.tif 000002
【実用新案登録請求の範囲】
【請求項１】
複数の支柱と、
二本の棒状体をＸ字状に枢支した結合体を複数連結したリンク機構であって、前記支柱間を伸縮自在に接続するフレーム体と、
前記支柱に固定される折り畳み自在の板状体とを備え、
一つの前記支柱に直接連結する前記結合体の二本の棒状体のうち、一方の棒状体の端部は前記支柱に固定され、他方の棒状体の端部は前記支柱上を上下方向に摺動可能に配設されていることを特徴とする移動式ボード。
【請求項２】
請求項１に記載の移動式ボードにおいて、
複数の前記支柱のうち両端部に配置される二本の支柱と、前記板状体の両端部とが固定され、当該板状体により前記フレーム体の伸長状態が維持される移動式ボード。
【請求項３】
請求項１又は２に記載の移動式ボードにおいて、
前記他の棒状体の端部が、前記支柱上の摺動可能範囲内における予め定められた任意の位置で支持固定される移動式ボード。
【請求項４】
請求項１ないし３のいずれかに記載の移動式ボードにおいて、
少なくとも２つ以上の前記フレーム体が上下方向に並列に配設されている移動式ボード。
【考案の詳細な説明】
【技術分野】
【０００１】
本発明は、コンパクトに折り畳んだ状態で持ち運びが可能な移動式ボードに関する。
【背景技術】
【０００２】
近年、地震等の自然災害が多発しており、避難所を利用する機会が多くなっている。特に、今後は南海トラフ地震などの発生が懸念されており、緊急時や避難時において、如何に迅速且つ効率よく行動できるかは非常に重要な要素となる。避難所等において頻繁に利用されている道具として、ホワイトボードや掲示板がある。これらのボードは、避難者に情報を提供したり、ちょっとしたメモや緊急連絡先の情報を記録しておくのにとても有効的に利用されている。しかしながら、通常時において会議などで使用されているホワイトボードは、キャスターにより移動が楽にできるものの、サイズ的に非常に大きいため、車で移動する場合などにトランクに積むことができず、持ち運びが不便であるという問題がある。
【０００３】
上記のような問題に関連して、例えば特許文献１に示す技術が開示されている。特許文献１に示す技術は、長尺状をなす複数のパネルと、並列する複数のパネルが折り畳み又は巻き込み可能に取り付けられる伸縮性シート体と、からなるボード本体と、を備え、複数のパネルのそれぞれ裏面は、伸縮性シート体の取付面に取り付けられ、複数のパネルのそれぞれ表面又は／及び取付面の反対面は、ホワイトボード材が備えられ、ホワイトボード材は、ボード本体が展開される場合に、一様な筆記面を形成するものである。
【先行技術文献】
【特許文献】
【０００４】
【特許文献１】特開２０１７−１３２５１号公報
【考案の概要】
【考案が解決しようとする課題】
【０００５】
しかしながら、特許文献１に示す技術は、ホワイトボードとその両端の支柱とを螺子止めのみで固定するものであるため、安定性が悪く転倒やぐらつきを引き起こす可能性がある。また、ホワイトボードが水平方向を軸として垂直方向に展開する構成であるため、一人で組み立てや分解作業を行うには、幅広なホワイトボードだと作業が非常に困難になってしまう。逆に、幅広なホワイトボードにする場合には、組み立てや分解に人手を要してしまうという課題を有する。
【０００６】
本考案は、不使用時には非常にコンパクトに纏めることができ、使用時には簡単な組み立て作業で安定的な強度を有する移動式ボードを提供する。
【課題を解決するための手段】
【０００７】
本考案に係る移動式ボードは、複数の支柱と、二本の棒状体をＸ字状に枢支した結合体を複数連結したリンク機構であって、前記支柱間を伸縮自在に接続するフレーム体と、前記支柱に固定される折り畳み自在の板状体とを備え、一つの前記支柱に直接連結する前記結合体の二本の棒状体のうち、一方の棒状体の端部は前記支柱に固定され、他方の棒状体の端部は前記支柱上を上下方向に摺動可能に配設されているものである。
【０００８】
このように、本考案に係る移動式ボードにおいては、支柱及びフレーム体からなる本体と、板状体とを分解してコンパクトに纏めて持ち運びを便利にすることができると共に、支柱、フレーム体、板状体のそれぞれの連結により使用時の安定性を確保して、足場が悪い場所や余震等が発生する中でも転倒やぐらつきをできるだけ抑えることができるという効果を奏する。
【０００９】
本考案に係る移動式ボードは、複数の前記支柱のうち両端部に配置される二本の支柱と、前記板状体の両端部とが固定され、当該板状体により前記フレーム体の伸長状態が維持されるものである。
【００１０】
このように、本考案に係る移動式ボードにおいては、複数の前記支柱のうち両端部に配置される二本の支柱と、前記板状体の両端部とが固定され、当該板状体により前記フレーム体の伸長状態が維持されるため、板状体によりフレーム体の伸長状態を安定的に維持して板面のぐらつき等を防止することができるという効果を奏する。
【００１１】
本考案に係る移動式ボードは、前記他の棒状体の端部が、前記支柱上の摺動可能範囲内における予め定められた任意の位置で支持固定されるものである。
【００１２】
このように、本考案に係る移動式ボードにおいては、他の棒状体の端部が、前記支柱上の摺動可能範囲内における予め定められた任意の位置で支持固定されるため、支柱によりフレーム体の伸長状態を安定的に維持して支柱及びフレーム体のぐらつき、並びに転倒を防止することができるという効果を奏する。
【００１３】
本考案に係る移動式ボードは、少なくとも２つ以上の前記フレーム体が上下方向に並列に配設されているものである。
【００１４】
このように、本考案に係る移動式ボードにおいては、少なくとも２つ以上の前記フレーム体が上下方向に並列に配設されているため、複数のフレーム体で支柱間の固定及び板状体の支持をすることができ、安定的に使用することができるという効果を奏する。
【図面の簡単な説明】
【００１５】
【図１】第１の実施形態に係る移動式ボードの支柱及びフレーム体の構成を示す図である。
【図２】第１の実施形態に係る移動式ボードに設置する板状体の構成を示す図である。
【図３】支柱における下側他端部を固定する固定箇所の構成の一例を示す上断面図である。
【図４】第１の実施形態に係る移動式ボードの組み立て手順を示す第１の図である。
【図５】第１の実施形態に係る移動式ボードの組み立て手順を示す第２の図である。
【図６】第１の実施形態に係る移動式ボードの組み立て手順を示す第３の図である。
【図７】第１の実施形態に係る移動式ボードの組み立て手順を示す第４の図である。
【図８】第１の実施形態に係る移動式ボードの組み立て手順を示す第５の図である。
【図９】第１の実施形態に係る移動式ボードの組み立て手順を示す第６の図である。
【図１０】第１の実施形態に係る移動式ボードの組み立て手順を示す第７の図である。
【図１１】第１の実施形態に係る移動式ボードの組み立て手順を示す第８の図である。
【考案を実施するための最良の形態】
【００１６】
以下、本考案の実施の形態を説明する。また、本実施形態の全体を通して同じ要素には同じ符号を付けている。
【００１７】
（本考案の第１の実施形態）
本実施形態に係る移動式ボードについて、図１ないし図１１を用いて説明する。本実施形態に係る移動式ボードは、例えば災害等が発生した場合に、掲示板やホワイトボードを速やかに且つ簡易的に持ち運びするものである。本実施形態においては、仮に移動式ホワイトボードであるとする。
【００１８】
図１は、本実施形態に係る移動式ボードの支柱及びフレーム体の構成を示す図、図２は、本実施形態に係る移動式ボードに設置する板状体の構成を示す図である。図１（Ａ）は不使用状態（保管時、持ち運び時等）の支柱及びフレーム体を示し、図１（Ｂ）は使用状態の支柱及びフレーム体を示す。図１及び図２において、移動式ボード１は、３本の支柱１０，１１及び１２と、当該支柱１０及び支柱１１の間や支柱１１及び支柱１２の間に連結され、水平方向に伸縮自在なフレーム体２１，２２，２３及び２４とからなる本体３０を有する。また、移動式ボード１は、支柱１０，１１及び１２に取り付け自在で、折り畳み可能なホワイトボード４０を有する。図１の本体３０に図２のホワイトボード４０が取り付けられることで、ホワイトボードとして使用可能となる。
【００１９】
図１に示すように、支柱１０と支柱１１との間にはフレーム体２１が配設されている。フレーム体２１は、２本の棒状体ｓ及びｔをＸ字状に枢支した結合体（結合体２１ａ，２１ｂ）を、その一端部２５同士で水平方向に連結したリンク機構で形成されており、それぞれの連結部分（棒状体ｓ及びｔの連結部分２１０及び２１１、結合体２１ａ及び２１ｂの連結部分２１２，２１３）の回動動作により水平方向に伸縮自在となっている。
【００２０】
結合体２１ａの他端部２６は支柱１０に連結されており、結合体２１ｂの他端部２７は支柱１１に連結されている。結合体２１ａの他端部２６のうち、上側他端部２６ａは支柱１０に固定されているが、下側他端部２６ｂは支柱１０上を上下方向に摺動可能な状態で配設されている。一方、結合体２１ｂの方も、上側他端部２７ａは支柱１１に固定されているが、下側他端部２７ｂは支柱１１上を上下方向に摺動可能な状態で配設されている。
【００２１】
フレーム体２１が収縮する際は、連結部分２１０〜２１３の回動に伴って、連結部分２１０及び連結部分２１１において棒状体ｓと棒状体ｔとが成す水平方向の角度αが大きくなると共に、結合体２１ａの下側他端部２６ｂ及び結合体２１ｂの下側他端部２７ｂが下方向に摺動することで、フレーム体２１が水平方向に収縮する。フレーム体２１が伸長する際は、連結部分２１０〜２１３の回動に伴って、角度αが小さくなると共に、結合体２１ａの下側他端部２６ｂ及び結合体２１ｂの下側他端部２７ｂが上方向に摺動することで、フレーム体２１が水平方向に伸長する。
【００２２】
下側他端部２６ｂは、支柱上を摺動する摺動範囲があり、その摺動範囲内に予め下側他端部２６ｂを支持固定するための固定箇所が設けられている。図３は、支柱における下側他端部を固定する固定箇所の構成の一例を示す上断面図である。図３（Ａ）は、下側他端部２６ｂが固定されている状態の上断面図、図３（Ｂ）は、下側他端部２６ｂが摺動している状態の上断面図である。図３に示すように、支柱１０の固定箇所には孔３１が設けられている。また、結合体２１ａの棒状体ｔと支柱１０とは摺動カバー３２を介して連結されており、摺動カバー３２の内側は支柱１０を丁度覆うように開放されている。その開放部分に支柱１０を嵌め込むことで結合体２１ａの棒状体ｔと支柱１０とが連結する。
【００２３】
そして、摺動カバー３２には、当該摺動カバー３２を上下方向に摺動した際に、所定の位置において孔３１と重畳できるような孔３３が設けられている。孔３３には摺動カバー３２の外側から係止部３４が貫入されており、孔３１と孔３３とが重畳する位置でそれぞれの孔３１及び孔３３に係止部３４が貫入されることで、摺動カバー３２を孔３１の位置に支持固定することができる。このとき、両端を係止部３４の外側先端の持ち手部分３４ａと摺動カバー３２とで固定された状態の弾性体３５（例えば、バネ等）が配設されており、この弾性体３５の弾性力により係止部３４は常に摺動カバー３２の内側方向に引っ張られている状態となっている（図３（Ａ））。
【００２４】
つまり、係止部３４の内側先端の嵌入部分３４ｂは、常に支柱１０の方向に引っ張られ、先端を支柱１０に接触した状態で摺動カバー３２が摺動している。そして、孔３１と孔３３とが嵌合すると、弾性体３５により内側方向に引っ張られている係止部３４の嵌入部分３４ｂが、孔３１に挿通されて摺動カバー３２を支柱１０に支持固定する（図３（Ａ））。摺動カバー３２を摺動させる場合は、持ち手部分３４ａを外側方向に引っ張ることで、係止部３４を支柱１０の孔３１から完全に抜いた状態にして摺動動作を行う。係止部３４が支柱１０から完全に抜かれた状態で孔３１と孔３３との重複状態が少しでもずれると、係止部３４は次に孔３１と孔３３とが重畳するまで支柱１０の孔３１に挿通することができないため、摺動カバー３２を自在に摺動することができる（図３（Ｂ））。
【００２５】
なお、フレーム体２２，２３及び２４についても、フレーム体２１と同様の構造となっている。また、真ん中の支柱１１に連結しているそれぞれの下側他端部については、上述した結合部２１ａの下側他端部２６ｂと同様に摺動カバーを係止部を介して支柱１１に支持固定する構造としてもよいが、両端の支柱１０及び支柱１２において、それぞれの下側他端部が係止部を介して強固に支持固定されていることから、必ずしても支柱１１と下側他端部とを支持固定しなくてもよい。
【００２６】
また、支柱１０〜１２は高さ方向に伸縮自在となっている。それぞれの支柱１０〜１２の下方は２重構造になっており、伸長する際には、内側部材２９ａ，２９ｂ，２９ｃを下方向に引き出し、止着部２９１ａ，２９１ｂ，２９１ｃでロック（又は螺子止め）することで、それぞれの支柱１０〜１２を伸長することができる。収縮する際には、止着部２９１ａ，２９１ｂ，２９１ｃのロックを解除し（又は螺子を緩め）、内側部材２９ａ，２９ｂ，２９ｃを上方向にスライドして収納し、それぞれの支柱１０〜１２を収縮することができる。
【００２７】
さらに、収縮した本体３０は、後述するような取っ手付きのキャリー用の収納袋に収納され、簡単に持ち運びができるようになる。
【００２８】
図２において、ホワイトボード４０は、４枚の同一形状、同一サイズのボード片４１，４２，４３及び４４を有し、真ん中の２枚のボード片４２と４３は、裏面側に曲折されるように接合部４５が蝶番で形成されている。また、左側の２枚のボード片４１及び４２、並びに、右側の２枚のボード片４３及び４４は、表面側に曲折されるように接合部４６，４７が蝶番で形成されている。表面側はホワイトボードとして使用するため白いアクリル板やカラス質の釉薬を高温で焼きつけた層が積層され、裏面側は持ち運びの際には表面となるため取っ手付きの生地で覆われている。
【００２９】
不使用状態では、それぞれのボード片４１〜４４の接合部分を曲折することで図２（Ｂ）に示すような折り畳み状態となり、収納ケースに入れて簡単に持ち運びすることができる。使用状態では、それぞれのボード片４１〜４４の接合部分を折り畳まれた状態から拡張することで、４つのボード片４１〜４４で一つの平面が形成され、本体３０に取り付けることでホワイトボードとして使用することができる。
【００３０】
なお、裏面側の生地には、図２（Ｃ）に示すように、折り畳んだ際に表面となるボード片（ボード片４１及び／又はボード片４４）に小物を入れるための収納ポケット等を付設しておくことで、持ち運びを便利にすることが可能となる。
【００３１】
本体３０とホワイトボード４０との組み付けについては、安定的に組み付けすることができればどのような方法で組み付けてもよいが、本実施形態の場合は一例として、支柱１０〜１２の上方に雌型の一対のマグネット１０ａ，１１ａ，１２ａを配設し、このマグネット１０ａ，１１ａ，１２ａに対して、ホワイトボード４０の裏面側上方に配設された雄型の一対のマグネット１０ｂ，１１ｂ，１２ｂを結合するようにしてもよい。この雌型のマグネット１０ａ，１１ａ，１２ａは、上方からスライドさせながら雄型マグネット１０ｂ，１１ｂ，１２ｂを挿入し、雄雌がちょうど嵌合したところでそれぞれのマグネットを磁力により強固に結合し、下方は雄型マグネット１０ｂ，１１ｂ，１２ｂが、それ以上下方にスライドしないように支持機構が付いていることが望ましい。ホワイトボード４０の下方では、水平方向の両端部分を支柱１０及び１２に対して面ファスナー等で固定する。このように、本体３０とホワイトボード４０とを強固に組み付けることで、移動式ボード１を安定化し、転倒やぐらつきを防止することができる。
【００３２】
次に、移動式ボード１の組み立て手順について図４ないし図１０を用いて説明する。まず、図４（Ａ）において、本体４０をキャリー用収納袋から取り外し、平らな地面に垂直に立てる。なお、支柱１０〜１２の脚部は、側面方向から見て逆Ｔ字状に形成されており、地面に接触する部分が前後方向に長尺状に形成されることで、前後方向への転倒を防止する構造となっている。図４（Ｂ）の拡大図に示すように、係止部３４を引きながら、図４（Ｂ）に示す保持部５１を持って左右に広げる。フレーム体２１〜２４が水平方向に伸長し、それに伴って下側他端部２６ｂが支柱１０，１２に沿って上方向に摺動し、図３に示したように予め付設されている孔３１に係止部３４が貫入して、フレーム体２１〜２４の伸縮がロックされる（図５）。
【００３３】
上記と同時に又は前後して、図６に示すようにホワイトボード４０を広げる。ホワイトボード４０は、まずホワイトボード４０の裏面側（持ち運び時は表面側となる）で、ボード片４１〜４４を固定していた面ファスナーを外す（図６（Ａ）→図６（Ｂ））。ボード片４２と４３との接合部分（ホワイトボード４０の中心部分）を開帳し（図６（Ｂ）→図６（Ｃ））、最終的に図７に示すように、ボード片４２と４３とが１つの平面となるようにする。
【００３４】
図７において、ボード片４２と４３との接合部分の上方に付設された雄型マグネット１１ｂを支柱１１の上方に付設された雌型マグネット１１ａに嵌め込んで固定する。支柱１１にホワイトボード４０が固定された状態で、ボード片４１及び４２、並びに、ボード片４３及び４４を開帳し、雌型マグネット１０ａ，１２ａに雄型マグネット１０ｂ，１２ｂを接続して固定する（図８）。支柱１０及び支柱１２の止着部２９１ａ及び２９１ｃのロックを解除し（図９）、内側部材２９ａ及び２９ｃを引き出して、支柱１０及び１２を延長する。同様に、支柱１１についても脚を延長する（図１０）。ホワイトボード４０の裏面側の面ファスナーでホワイトボード４０の下方と本体３０とを接合して固定する（図１１）。
【００３５】
なお、ホワイトボードに使用するマジック、イレーザー、ホワイトボードシート等は、ホワイトボード４０の下方に引っ掛け可能な収納容器に納めて収納するようにしてもよい。また、その際に必要となる収納容器を布状とし、本体３０の不使用状態を固定して運ぶための取っ手付き補助部材として利用してもよい。
【００３６】
このように、本実施形態に係る移動式ボードにおいては、支柱及びフレーム体からなる本体３０と、ホワイトボード４０とを分解してコンパクトに纏めて持ち運びを便利にすることができると共に、支柱、フレーム体、ホワイトボードのそれぞれの連結により使用時の安定性を確保して、足場が悪い場所や余震等が発生する中でも転倒やぐらつきをできるだけ抑えることができる。また、不使用状態から使用状態へと簡単な作業で用意に組み立てすることができる。
【００３７】
なお、本実施形態においては、フレーム体２１〜２４を上下に二対備える構成としたが、上下方向に一対又は三対以上備える構成としてもよい。また、図１１に示した使用状態の裏面側には、さらにもう一枚のホワイトボード４０を設置することができる構成としてもよい。
【００３８】
さらに、本実施形態における移動式ボードは、ホワイトボード以外にも掲示板、衝立、パーテンション等として利用することもできる。
【００３９】
さらにまた、本実施形態においては、本体３０及びホワイトボード４０が一つの平面を有する構成としたが、ボード片４２と４３の接合部分で曲折させた状態で利用できるようにしてもよい。この場合、本体３０においては、支柱１１に連結するフレーム体が支柱１１上で水平方向に回動可能な構成とし、支柱１０と支柱１１とで形成される面と、支柱１１と支柱１２とで形成される面とが必ずしも同一平面とならなくてもいい構成とする。
【００４０】
さらにまた、ホワイトボード４０を構成するボード片は、４枚に限らず１つ以上であればよく、支柱の数も３本に限らず２本以上であればよい。
【符号の説明】
【００４１】
１  移動式ボード
１０，１１，１２  支柱
１０ａ，１１ａ，１２ａ  マグネット
１０ｂ，１１ｂ，１２ｂ  マグネット
２１，２２，２３，２４  フレーム体
２１ａ，２１ｂ  結合体
２５  一端部
２６，２７  他端部
２６ａ，２７ａ  上側他端部
２６ｂ，２７ｂ  下側他端部
２９ａ，２９ｂ，２９ｃ  内側部材
２９１ａ，２９１ｂ，２９１ｃ  止着部
３０  本体
３１，３３  孔
３２  摺動カバー
３４  係止部
３４ａ  持ち手部分
３４ｂ  嵌入部分
３５  弾性体
４０  ホワイトボード
４１，４２，４３，４４  ボード片
４５，４６，４７  接合部
５１  保持部
２１０，２１１，２１２，２１３  連結部分
ｓ，ｔ  棒状体
【図１】
0003217541.tif 000003
【図２】
0003217541.tif 000004
【図３】
0003217541.tif 000005
【図４】
0003217541.tif 000006
【図５】
0003217541.tif 000007
【図６】
0003217541.tif 000008
【図７】
0003217541.tif 000009
【図８】
0003217541.tif 000010
【図９】
0003217541.tif 000011
【図１０】
0003217541.tif 000012
【図１１】
0003217541.tif 000013